(57)【要約】【課題】マルチキャリア伝送及びシングルキャリア伝送を組み合わせて、伝送特性の改善及び無線リソース割り当ての柔軟性の観点から最適な通信を提供する。【解決手段】本実施形態に係る移動局ＵＥは、ＭＩＭＯ通信を行うように構成されており、使用する送信周波数帯域幅及びＭＩＭＯ通信において利用する送信ストリーム数の少なくとも一方に基づいて、適用する無線アクセス方式を決定するように構成されている制御部を具備する。【選択図】  図１
2010074760.tif 000002
【特許請求の範囲】
【請求項１】
ＭＩＭＯ（Ｍｕｌｔｉｐｌｅ  Ｉｎｐｕｔ  Ｍｕｌｔｉｐｌｅ  Ｏｕｔｐｕｔ）通信を行うように構成されている移動局であって、
使用する送信周波数帯域幅及び前記ＭＩＭＯ通信において利用する送信ストリーム数の少なくとも一方に基づいて、適用する無線アクセス方式を決定するように構成されている制御部を具備することを特徴とする移動局。
【請求項２】
前記制御部は、前記適用する無線アクセス方式に基づいて、送信する参照信号の構成を決定するように構成されていることを特徴とする請求項１に記載の移動局。
【請求項３】
前記制御部は、ＯＦＤＭ方式、Ｃｌｕｓｔｅｒｅｄ  ＤＦＴ-Ｓｐｒｅａｄ  ＯＦＤＭ方式、Ｍｕｌｔｉｃａｒｒｉｅｒ  ＤＦＴ-Ｓ-ＯＦＤＭ方式、ＤＦＴ-Ｓｐｒｅａｄ  ＯＦＤＭ方式の少なくとも２つの中から、前記適用する無線アクセス方式を選択するように構成されていることを特徴とする請求項１に記載の移動局。
【請求項４】
前記制御部は、前記適用する無線アクセス方式として、Ｃｌｕｓｔｅｒｅｄ  ＤＦＴ-Ｓｐｒｅａｄ  ＯＦＤＭ方式を選択した場合、クラスター単位で、使用するプリコーディングベクトルを決定するように構成されていることを特徴とする請求項３に記載の移動局。
【請求項５】
前記制御部は、前記適用する無線アクセス方式として、Ｍｕｌｔｉｃａｒｒｉｅｒ  ＤＦＴ-Ｓ-ＯＦＤＭ方式を選択した場合、ＤＦＴ単位で、使用するプリコーディングベクトルを決定するように構成されていることを特徴とする請求項３に記載の移動局。
【発明の詳細な説明】
【技術分野】
【０００１】
本発明は、ＭＩＭＯ（Ｍｕｌｔｉｐｌｅ  Ｉｎｐｕｔ  Ｍｕｌｔｉｐｌｅ  Ｏｕｔｐｕｔ）通信を行うように構成されている移動局に関する。
【背景技術】
【０００２】
ＬＴＥ（Ｒｅｌｅａｓｅ  ８）方式の移動通信システムでは、ＰＡＰＲ（Ｐｅａｋ-ｔｏ-Ａｖｅｒａｇｅ  Ｐｏｗｅｒ  Ｒａｔｉｏ）の低減によるカバレッジの確保を重視して、シングルキャリア伝送方式（ＤＦＴ-Ｓｐｒｅａｄ  ＯＦＤＭ方式、すなわち、（ＳＣ）-ＦＤＭＡ方式）が採用されている。
【０００３】
一方、現在、３ＧＰＰにおいて規格化が進められている「ＬＴＥ-Ａｄｖａｎｃｅｄ方式」の移動通信システムでは、マルチキャリア伝送方式の導入が検討されている。
【非特許文献１】３ＧＰＰ  ＴＳＧ  ＲＡＮ  ＩＭＴ  Ａｄｖａｎｃｅｄ  Ｗｏｒｋｓｈｏｐ、ＲＥＶ-０８００２６、２００８年４月
【発明の開示】
【発明が解決しようとする課題】
【０００４】
しかしながら、現状では、ＬＴＥ-Ａｄｖａｎｃｅｄ方式の移動通信システムにおいて、既存のマルチキャリア伝送やシングルキャリア伝送をどのように組み合わせて使用すれば、伝送特性の改善及び無線リソース割り当ての柔軟性の観点から最適な通信を提供することができるのかについて検討されていない。
【０００５】
そこで、本発明は、上述の課題に鑑みてなされたものであり、マルチキャリア伝送及びシングルキャリア伝送を組み合わせて、伝送特性の改善及び無線リソース割り当ての柔軟性の観点から最適な通信を提供することができる移動局を提供することを目的とする。
【課題を解決するための手段】
【０００６】
本発明の第１の特徴は、ＭＩＭＯ通信を行うように構成されている移動局であって、使用する送信周波数帯域幅及び前記ＭＩＭＯ通信において利用する送信ストリーム数の少なくとも一方に基づいて、適用する無線アクセス方式を決定するように構成されている制御部を具備することを要旨とする。
【０００７】
本発明の第１の特徴において、前記制御部は、前記適用する無線アクセス方式に基づいて、送信する参照信号の構成を決定するように構成されていてもよい。
【０００８】
本発明の第１の特徴において、前記制御部は、ＯＦＤＭ方式、Ｃｌｕｓｔｅｒｅｄ  ＤＦＴ-Ｓｐｒｅａｄ  ＯＦＤＭ方式、Ｍｕｌｔｉｃａｒｒｉｅｒ  ＤＦＴ-Ｓ-ＯＦＤＭ方式、ＤＦＴ-Ｓｐｒｅａｄ  ＯＦＤＭ方式の少なくとも２つの中から、前記適用する無線アクセス方式を選択するように構成されていてもよい。
【０００９】
本発明の第１の特徴において、前記制御部は、前記適用する無線アクセス方式として、Ｃｌｕｓｔｅｒｅｄ  ＤＦＴ-Ｓｐｒｅａｄ  ＯＦＤＭ方式を選択した場合、クラスター単位で、使用するプリコーディングベクトルを決定するように構成されていてもよい。
【００１０】
本発明の第１の特徴において、前記制御部は、前記適用する無線アクセス方式として、Ｍｕｌｔｉｃａｒｒｉｅｒ  ＤＦＴ-Ｓ-ＯＦＤＭ方式を選択した場合、ＤＦＴ単位で、使用するプリコーディングベクトルを決定するように構成されていてもよい。
【発明の効果】
【００１１】
以上説明したように、本発明によれば、マルチキャリア伝送及びシングルキャリア伝送を組み合わせて、伝送特性の改善及び無線リソース割り当ての柔軟性の観点から最適な通信を提供することができる移動局を提供することができる。
【発明を実施するための最良の形態】
【００１２】
（本発明の第１の実施形態に係る移動局の構成）
図１乃至図１３を参照して、本発明の第１の実施形態に係る移動局ＵＥの構成について説明する。本実施形態に係る移動局ＵＥは、ＬＴＥ-Ａｄｖａｎｃｅｄ方式の移動通信システムで使用可能なものであって、ＭＩＭＯ通信を行うことができるように構成されている。
【００１３】
図１に示すように、本実施形態に係る移動局ＵＥは、スイッチ１０と、ＤＦＴ（Ｄｉｓｃｒｅｔｅ  Ｆｏｕｒｉｅｒ  Ｔｒａｎｓｆｏｒｍ）１１と、Ｓ/Ｐ（Ｓｅｒｉａｌ-ｔｏ-Ｐａｒａｌｌｅｌ  Ｃｏｎｖｅｒｔｅｒ）１２と、サブキャリアマッピング部１３と、パルス成形フィルタ１４と、ＩＦＦＴ（Ｉｎｖｅｒｓｅｄ  Ｆａｓｔ  Ｆｏｕｒｉｅｒ  Ｔｒａｎｓｆｏｒｍ）１５と、ＣＰ（Ｃｙｃｌｉｃ  Ｐｒｅｆｉｘ）挿入部１６と、制御部２０とを具備している。
【００１４】
本実施形態に係る移動局ＵＥでは、シングルキャリア伝送方式（すなわち、ＤＦＴ-Ｓｐｒｅａｄ  ＯＦＤＭ方式）用の系統が、ＤＦＴ１１とサブキャリアマッピング部１３とパルス成形フィルタ１４とＩＦＦＴ１５とによって構成されている。
【００１５】
一方、本実施形態に係る移動局ＵＥでは、マルチキャリア伝送方式用の系統が、Ｓ/Ｐ１２とサブキャリアマッピング部１３とパルス成形フィルタ１４とＩＦＦＴ１５とによって構成されている。
【００１６】
ここで、マルチキャリア伝送方式用の系統として、図２に示すようなＯＦＤＭ方式用の系統が用いられていてもよいし、図３に示すようなＣｌｕｓｔｅｒｅｄ  ＤＦＴ-Ｓｐｒｅａｄ  ＯＦＤＭ方式用の系統が用いられていてもよいし、図４に示すようなＭｕｌｔｉｃａｒｒｉｅｒ  ＤＦＴ-Ｓ-ＯＦＤＭ方式用の系統が用いられていてもよい。
【００１７】
スイッチ１０は、入力された符号化データシンボルを、制御部２０からの切り替え指示に応じて、シングルキャリア伝送方式の系統又はマルチキャリア伝送方式用の系統のどちらに入力するかを切り替えるように構成されている。
【００１８】
なお、サブキャリアマッピング部１３は、シングルキャリア伝送方式用の系統では、連続するサブキャリアに対するマッピングしか行うことができないが、マルチキャリア伝送方式用の系統では、連続していないサブキャリアに対するマッピングも行うことができる。
【００１９】
制御部２０は、図１に示すような移動局ＵＥの機能を制御するように構成されている。ここで、制御部２０は、使用する送信周波数帯域幅及びＭＩＭＯ通信において利用する送信ストリーム数の少なくとも一方に基づいて、適用する無線アクセス方式を決定し、かかる決定に基づいて、スイッチ１０に対する切り替え指示を送信するように構成されている。
【００２０】
例えば、制御部２０は、図５に示す「使用する送信周波数帯域幅」と「ＭＩＭＯ通信において利用する送信ストリーム数」との組み合わせによって、適用する無線アクセス方式を決定してもよい。
【００２１】
かかる場合、制御部２０は、「使用する送信周波数帯域幅」が「２０ＭＨｚ以下」であり、「ＭＩＭＯ通信において利用する送信ストリーム数」が「１」である場合、適用する無線アクセス方式として、Ｃｌｕｓｔｅｒｅｄ  ＤＦＴ-Ｓｐｒｅａｄ  ＯＦＤＭ方式を選択する。
【００２２】
また、制御部２０は、「使用する送信周波数帯域幅」が「２０ＭＨｚより広い」場合であり、「ＭＩＭＯ通信において利用する送信ストリーム数」が「１」である場合、適用する無線アクセス方式として、Ｃｌｕｓｔｅｒｅｄ  ＤＦＴ-Ｓｐｒｅａｄ  ＯＦＤＭ方式を選択する。
【００２３】
また、制御部２０は、「使用する送信周波数帯域幅」が「２０ＭＨｚ以下」であり、「ＭＩＭＯ通信において利用する送信ストリーム数」が「２以上」である場合、適用する無線アクセス方式として、ＯＦＤＭ方式を選択する。
【００２４】
さらに、制御部２０は、「使用する送信周波数帯域幅」が「２０ＭＨｚより広い」場合であり、「ＭＩＭＯ通信において利用する送信ストリーム数」が「２以上」である場合、適用する無線アクセス方式として、ＯＦＤＭ方式を選択する。
【００２５】
すなわち、図５に示す組み合わせによれば、制御部２０は、使用する送信周波数帯域幅によらず、ＭＩＭＯ通信において利用する送信ストリーム数に基づいて、適用する無線アクセス方式を決定してもよい。
【００２６】
この結果、１つの送信アンテナしか具備しない移動局ＵＥは、ＬＴＥ（Ｒｅｌｅａｓｅ  ８）方式において必要とされていた能力に加えて、「クラスター機能（Ｃｌｕｓｔｅｒｅｄ  Ｆｕｎｃｔｉｏｎ）」をサポートするだけでよい（ＯＦＤＭ方式をサポートする必要がない）。
【００２７】
また、制御部２０は、図６に示す「使用する送信周波数帯域幅」と「ＭＩＭＯ通信において利用する送信ストリーム数」との組み合わせによって、適用する無線アクセス方式を決定してもよい。
【００２８】
かかる場合、制御部２０は、「使用する送信周波数帯域幅」が「２０ＭＨｚ以下」であり、「ＭＩＭＯ通信において利用する送信ストリーム数」が「１」である場合、適用する無線アクセス方式として、Ｃｌｕｓｔｅｒｅｄ  ＤＦＴ-Ｓｐｒｅａｄ  ＯＦＤＭ方式を選択する。
【００２９】
また、制御部２０は、「使用する送信周波数帯域幅」が「２０ＭＨｚより広い」場合であり、「ＭＩＭＯ通信において利用する送信ストリーム数」が「１」である場合、適用する無線アクセス方式として、Ｃｌｕｓｔｅｒｅｄ  ＤＦＴ-Ｓｐｒｅａｄ  ＯＦＤＭ方式を選択する。
【００３０】
また、制御部２０は、「使用する送信周波数帯域幅」が「２０ＭＨｚ以下」であり、「ＭＩＭＯ通信において利用する送信ストリーム数」が「２以上」である場合、適用する無線アクセス方式として、Ｃｌｕｓｔｅｒｅｄ  ＤＦＴ-Ｓｐｒｅａｄ  ＯＦＤＭ方式を選択する。
【００３１】
さらに、制御部２０は、「使用する送信周波数帯域幅」が「２０ＭＨｚより広い」場合であり、「ＭＩＭＯ通信において利用する送信ストリーム数」が「２以上」である場合、適用する無線アクセス方式として、ＯＦＤＭ方式を選択する。
【００３２】
この結果、ほとんどの移動局ＵＥは、ＬＴＥ（Ｒｅｌｅａｓｅ  ８）方式において必要とされていた能力に加えて、「クラスター機能（Ｃｌｕｓｔｅｒｅｄ  Ｆｕｎｃｔｉｏｎ）」をサポートするだけでよい（ＯＦＤＭ方式をサポートする必要がない）。
【００３３】
例えば、制御部２０は、図７に示す「使用する送信周波数帯域幅」と「ＭＩＭＯ通信において利用する送信ストリーム数」との組み合わせによって、適用する無線アクセス方式を決定してもよい。
【００３４】
かかる場合、制御部２０は、「使用する送信周波数帯域幅」が「２０ＭＨｚ以下」であり、「ＭＩＭＯ通信において利用する送信ストリーム数」が「１」である場合、適用する無線アクセス方式として、ＤＦＴ-Ｓｐｒｅａｄ  ＯＦＤＭ方式を選択する。
【００３５】
また、制御部２０は、「使用する送信周波数帯域幅」が「２０ＭＨｚより広い」場合であり、「ＭＩＭＯ通信において利用する送信ストリーム数」が「１」である場合、適用する無線アクセス方式として、ＯＦＤＭ方式を選択する。
【００３６】
また、制御部２０は、「使用する送信周波数帯域幅」が「２０ＭＨｚ以下」であり、「ＭＩＭＯ通信において利用する送信ストリーム数」が「２以上」である場合、適用する無線アクセス方式として、ＯＦＤＭ方式を選択する。
【００３７】
さらに、制御部２０は、「使用する送信周波数帯域幅」が「２０ＭＨｚより広い」場合であり、「ＭＩＭＯ通信において利用する送信ストリーム数」が「２以上」である場合、適用する無線アクセス方式として、ＯＦＤＭ方式を選択する。
【００３８】
この結果、ＬＴＥ（Ｒｅｌｅａｓｅ  ８）方式の移動通信システムでサポートされていない通信については、全てＯＦＤＭ方式によってサポートすることができる。
【００３９】
例えば、制御部２０は、図８に示す「使用する送信周波数帯域幅」と「ＭＩＭＯ通信において利用する送信ストリーム数」との組み合わせによって、適用する無線アクセス方式を決定してもよい。
【００４０】
かかる場合、制御部２０は、「使用する送信周波数帯域幅」が「２０ＭＨｚ以下」であり、「ＭＩＭＯ通信において利用する送信ストリーム数」が「１」である場合、適用する無線アクセス方式として、Ｃｌｕｓｔｅｒｅｄ  ＤＦＴ-Ｓｐｒｅａｄ  ＯＦＤＭ方式を選択する。
【００４１】
また、制御部２０は、「使用する送信周波数帯域幅」が「２０ＭＨｚより広い」場合であり、「ＭＩＭＯ通信において利用する送信ストリーム数」が「１」である場合、適用する無線アクセス方式として、Ｃｌｕｓｔｅｒｅｄ  ＤＦＴ-Ｓｐｒｅａｄ  ＯＦＤＭ方式を選択する。
【００４２】
また、制御部２０は、「使用する送信周波数帯域幅」が「２０ＭＨｚ以下」であり、「ＭＩＭＯ通信において利用する送信ストリーム数」が「２以上」である場合、適用する無線アクセス方式として、Ｃｌｕｓｔｅｒｅｄ  ＤＦＴ-Ｓｐｒｅａｄ  ＯＦＤＭ方式又はＯＦＤＭ方式を選択する。
【００４３】
さらに、制御部２０は、「使用する送信周波数帯域幅」が「２０ＭＨｚより広い」場合であり、「ＭＩＭＯ通信において利用する送信ストリーム数」が「２以上」である場合、適用する無線アクセス方式として、ＯＦＤＭ方式を選択する。
【００４４】
図８に示す組み合わせが適用されている場合の移動局ＵＥのカテゴリについて、図９に示す。図９によれば、１つの送信アンテナしか具備しない移動局ＵＥは、Ｃｌｕｓｔｅｒｅｄ  ＤＦＴ-Ｓｐｒｅａｄ  ＯＦＤＭ方式のみサポートしていればよいことが分かる。
【００４５】
また、制御部２０は、適用する無線アクセス方式に基づいて、送信する参照信号（Ｒｅｆｅｒｅｎｃｅ  Ｓｉｇｎａｌ）の構成を決定するように構成されていてもよい。
【００４６】
例えば、制御部２０は、図１０（ａ）に示すように、ＤＦＴ-Ｓｐｒｅａｄ  ＯＦＤＭ方式が適用されている場合には、送信アンテナ＃１用の参照信号及び送信アンテナ＃２用の参照信号について、異なるＣＡＺＡＣ系列のＣｙｃｌｉｃ  Ｓｈｉｆｔ（周波数領域の位相回転）を適用した直交多重を行うように決定してもよい。
【００４７】
一方、制御部２０は、図１０（ｂ）に示すように、ＯＦＤＭ方式が適用されている場合には、送信アンテナ＃１用の参照信号及び送信アンテナ＃２用の参照信号を、異なるサブキャリア位置へのマッピングを適用した直交多重を行うように決定してもよい。
【００４８】
また、制御部２０は、図１１（ａ）に示すように、送信アンテナ＃１用の参照信号及び送信アンテナ＃２用の参照信号について、シンボル間直交系列による多重（２つのシンボル間で符号{１，１}、{１，−１}を変えて行う多重）を行うように決定してもよい。
【００４９】
さらに、制御部２０は、図１１（ａ）に示すように、送信アンテナ＃１乃至＃４用の参照信号について、上述の異なるＣＡＺＡＣ系列のＣｙｃｌｉｃ  Ｓｈｉｆｔと異なるサブキャリア位置へのマッピングとシンボル間直交系列との組み合わせによる多重を行うように決定してもよい。
【００５０】
また、制御部２０は、適用する無線アクセス方式として、Ｃｌｕｓｔｅｒｅｄ  ＤＦＴ-Ｓｐｒｅａｄ  ＯＦＤＭ方式を選択した場合、図１２に示すように、クラスター単位で、使用するプリコーディングベクトルを決定するように構成されていてもよい。
【００５１】
この結果、周波数選択性プリコーディングによって、クラスター毎の必要以上のＰＡＰＲの劣化を防ぐことができる。
【００５２】
また、制御部２０は、適用する無線アクセス方式として、Ｍｕｌｔｉｃａｒｒｉｅｒ  ＤＦＴ-Ｓ-ＯＦＤＭ方式を選択した場合、ＤＦＴ単位で、使用するプリコーディングベクトルを決定するように構成されていてもよい。
【００５３】
この結果、周波数選択性プリコーディングによって、ＤＦＴ毎の必要以上のＰＡＰＲの劣化を防ぐことができる。
【００５４】
（本発明の第１の実施形態に係る移動局の作用・効果）
本実施形態に係る移動局ＵＥによれば、ＯＦＤＭ方式、Ｃｌｕｓｔｅｒｅｄ  ＤＦＴ-Ｓｐｒｅａｄ  ＯＦＤＭ方式又はＭｕｌｔｉｃａｒｒｉｅｒ  ＤＦＴ-Ｓ-ＯＦＤＭ方式が適用された場合には、非連続な無線リソース（例えば、Ａ１及びＡ２）の割り当てを実現することができる。
【００５５】
特に、図１４に示すように、使用する送信周波数帯域幅内に、ＰＵＣＣＨ（Ｐｈｙｓｉｃａｌ  ＵｐｌｉｎｋＣｏｎｔｒｏｌ  Ｃｈａｎｎｅｌ）用の無線リソースが割り当てられている場合には、かかる作用・効果は、非常に有効である。
【００５６】
また、本実施形態に係る移動局ＵＥによれば、ＯＦＤＭ方式が適用された場合には、ＯＦＤＭ方式のマルチパス干渉に対する優れた耐性によって、ＭＩＭＯ通信において、スループット特性を改善することができる。
【００５７】
また、本実施形態に係る移動局ＵＥによれば、ＯＦＤＭ方式が適用された場合には、ＯＦＤＭ方式の最尤推定（ＭＬＤ：Ｍａｘｉｍｕｍ  Ｌｉｋｅｌｙｈｏｏｄ  Ｄｅｔｅｃｔｉｏｎ）受信に対する親和性によって、高精度な信号分離による特定改善を実現することができる。
【００５８】
図１５（ａ）及び図１５（ｂ）に、４-ｂｙ-４  ＭＩＭＯ通信及び２-ｂｙ-２  ＭＩＭＯ通信において、ＭＬＤを用いたＯＦＤＭ方式（マルチキャスト伝送方式）が用いられた場合のスループットと、ＳＩＣと用いたＤＳ-ＣＤＭＡ方式（シングルキャスト伝送方式が用いられた場合のスループットとを比較する実験結果について示す。
【００５９】
図１５（ａ）及び図１５（ｂ）から分かるように、ＭＬＤを用いたＯＦＤＭ方式（マルチキャスト伝送方式）が用いられた場合のスループットの方が、ＳＩＣと用いたＤＳ-ＣＤＭＡ方式（シングルキャスト伝送方式が用いられた場合のスループットよりも明らかに高い。
【００６０】
なお、上述の移動局ＵＥの動作は、ハードウェアによって実施されてもよいし、プロセッサによって実行されるソフトウェアモジュールによって実施されてもよいし、両者の組み合わせによって実施されてもよい。
【００６１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ内に設けられていてもよい。また、かかる記憶媒体及びプロセッサは、ディスクリートコンポーネントとして移動局ＵＥ内に設けられていてもよい。
【００６３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００６４】
【図１】本発明の第１の実施形態に係る移動局の機能ブロック図である。
【図２】本発明の第１の実施形態に係る移動局の機能ブロックにおけるマルチキャリア伝送を行う機能の一例を示す図である。
【図３】本発明の第１の実施形態に係る移動局の機能ブロックにおけるマルチキャリア伝送を行う機能の一例を示す図である。
【図４】本発明の第１の実施形態に係る移動局の機能ブロックにおけるマルチキャリア伝送を行う機能の一例を示す図である。
【図５】本発明の第１の実施形態に係る移動局において適用される無線アクセス方式の組み合わせの一例を示す図である。
【図６】本発明の第１の実施形態に係る移動局において適用される無線アクセス方式の組み合わせの一例を示す図である。
【図７】本発明の第１の実施形態に係る移動局において適用される無線アクセス方式の組み合わせの一例を示す図である。
【図８】本発明の第１の実施形態に係る移動局において適用される無線アクセス方式の組み合わせの一例を示す図である。
【図９】本発明の第１の実施形態に係る移動局のカテゴリの一例を示す図である。
【図１０】本発明の第１の実施形態に係る移動局におけるパイロット信号の送信方法の一例を示す図である。
【図１１】本発明の第１の実施形態に係る移動局におけるパイロット信号の送信方法の一例を示す図である。
【図１２】本発明の第１の実施形態に係る移動局において用いられるプリコーディング方法の一例を示す図である。
【図１３】本発明の第１の実施形態に係る移動局において用いられるプリコーディング方法の一例を示す図である。
【図１４】本発明の第１の実施形態に係る移動局の効果について説明するための図である。
【図１５】本発明の第１の実施形態に係る移動局の効果について説明するための図である。
【符号の説明】
【００６５】
ＵＥ…移動局
１０…スイッチ
１１…ＤＦＴ
１２…Ｓ/Ｐ
１３…サブキャリアマッピング部
１４…パルス成形フィルタ
１５…ＩＦＦＴ
１６…ＣＰ挿入部
【図１】
2010074760.tif 000003
【図２】
2010074760.tif 000004
【図３】
2010074760.tif 000005
【図４】
2010074760.tif 000006
【図５】
2010074760.tif 000007
【図６】
2010074760.tif 000008
【図７】
2010074760.tif 000009
【図８】
2010074760.tif 000010
【図９】
2010074760.tif 000011
【図１０】
2010074760.tif 000012
【図１１】
2010074760.tif 000013
【図１２】
2010074760.tif 000014
【図１３】
2010074760.tif 000015
【図１４】
2010074760.tif 000016
【図１５】
2010074760.tif 000017